(57)【要約】【課題】家電製品の充電器であって、予め充電器に取付けられた電源コードが、充電器を配置する際、長さに余分がでた場合、容易に充電器内に巻き取ることができ、しかも使用中解けるおそれがないようにする充電器を提供する。【手段】家電製品１の充電器１において、充電回路部３を収納する本体２と、本体２に一体的に取付けた電源コード４を巻き取る巻き取りリール６を設け、巻き取りリール６は、本体２と一体的に取付け、巻き取りリール６を覆うコードカバー５を本体２に着脱自在に取り付けた。【選択図】図１
0003125800.tif 000002
【実用新案登録請求の範囲】
【請求項１】
充電式電池を内蔵した家電製品の充電器において、充電回路部を収納する本体と、該本体に一体的に取付けた電源コードを巻き取る巻き取り部とを設け、該巻き取り部には、前記電源コードを巻き取るリールを設け、該巻き取りリールを、前記本体に一体的に取付けると共に、該巻き取りリールを覆うコードカバーを前記本体に着脱自在に取り付けた充電器。
【請求項２】
壁掛け用のネジ穴を前記コードカバーに設けた請求項１記載の充電器。
【請求項３】
前記家電製品が縦長である場合に、充電器に前記製品を保持するスタンドを着脱自在に取り付けた請求項１又は２記載の充電器。
【請求項４】
前記本体は防水型である請求項１、２又は３記載の充電器。
【考案の詳細な説明】
【技術分野】
【０００１】  本考案は超音波歯ブラシ等の充電式電池を使用した家電製品の充電器に関するものである。
【背景技術】
【０００２】  超音波歯ブラシ等のいわゆる家電製品の充電器は所定の長さの電源コード（通常１ｍ前後）で電源コンセントに接続できるようになっている。電源コンセントが近くにある場合にはその長い電源コードはそのままにして使用したり、電源コードを束ねて使用したりしている。
【考案の開示】
【考案が解決しようとする課題】
【０００３】  電源コンセントが近くにある場合には、長い電源コードが邪魔になり、足で引っ掛けたりするなどの問題がある。また、その電源コードが余分なスペースを取り、使い難いと言った問題がある。【０００４】  そこで図１２に示すような充電器１が知られている。図１２Ｂに示す充電器本体２は、図１２Ｂに示すように、底板２−１で仕切られた電気回路部３と電源コード４を巻き取る巻取りリール６とから成っている。そして電気回路部３内には、充電回路基板（充電回路を省略図示）３−１及び充電用一次コイル３−２が収納されている。【０００５】  巻き取りリール６は、図１２Ｂに示すように充電器本体ケース２−２を底板２−１で区画して形成されている。そして巻き取りリール６が図に示すように底板２−１に一体的に取付けられ、その周囲を本体ケース２−２が底板２−１から拡開状に延長され、底部７を解放したスカート状に形成され、端部７が解放された構造になっている。そしてリール６は、電源コード４の巻き付り軸６−１と、巻き付けた電源コード４が解けないようにリール枠６−２とから成っている。したがって充電器１を所定位置に配置し、電源コード４に取付けた差し込みプラグ８をコンセント（図示せず）に差し込み、余分となった電源コード４を、図１２Ｂに示すように、巻き取り軸６−１に巻き付けることにより、この巻き付けた部分の電源コード４が本体ケース２−２の前記スカート状となった部分とリール枠６−２とで解けないように意図したものと認められる。なお図１２に示す符号９は電動歯ブラシ（図示せず）の持ち手部分の端部を嵌め込む皿状凹部である。【０００６】  しかしながら、図１２に示す充電器１の構造は、使用に当たって余分な電源コード４を巻き取るときには前記スカート状の部分とリール枠６−２とが邪魔になるという問題、巻き取った後は、何らかの原因で充電器が移動したり、倒れたりした場合に、電源コード４を巻き取った隙間から解け出てくるという問題などがあり、実用性に疑問があると認められる。【０００７】  本考案は、前記問題に着目して成されたものであり、使用に当たって、充電器に予め取付けた電源コードが長すぎた場合に、充電器内に不用部分を容易に巻き取ることができ、しかも解けて外にはみ出してこない充電器を提供することを目的としている。
【課題を解決するための手段】
【０００８】  前記目的を解決するための本発明の電源コード付き充電器は、充電式電池を内蔵した家電製品の充電器において、充電回路部を収納する本体と、該本体に一体的に取付けた電源コードを巻き取る巻き取り部とを設け、該巻き取り部には、前記電源コードを巻き取る巻き取りリールを設け、該巻き取りリールを、前記本体に一体的に取付けると共に、該巻き取りリールを覆うコードカバーを前記本体に着脱自在に取り付けたものである。【０００９】  本発明で言う前記家電製品とは、例えば超音波歯ブラシ、電動歯ブラシ、音波歯ブラシ、電気カミソリ、デジタルカメラ、携帯電話など、比較的小型の家電製品を意味している。【００１０】  前記本体及び巻き取り部との位置関係は、上下方向、横方向のいずれでもよい。巻き取りリールを充電器本体に一体的に取付ける手段には特に限定はないが、充電器は通常プラスチック射出成形品であることから、一体成形することでよいが、それぞれ別体としネジ止めするなど他の手段を用いることもできる。コードカバーを着脱自在とする手段は、例えば弾性係合手段、その他の簡単には外れない任意の手段を適宜用いることができる。【００１１】  小型家電製品は一般に使用に当たって充電器から外して使用するものが多いことから、充電器が固定できることが好ましい。そのため本考案の電源コード付き充電器は、前記コードカバーに、壁に取付けるための壁掛け用ネジ穴を設けて実施することができる。このようにすると、コードカバーと壁掛け用ブラケットとを兼用にして構造を簡単にし、コスト低減を図り、更に壁掛け作業の際にコードカバーだけを最初にネジ止めできるため、作業性を向上させることができる。【００１２】  前記家電製品が、倒れやすいなど、据わりの悪い製品である場合には、スタンドを設けて本稿案を実施することができる。その場合、スタンドを充電器本体に対し着脱自在に取付けるようにして実施することができる。このようにすると、スタンドを取り外すことにより汚れが溜まった場合にその箇所を容易に掃除することができる【００１３】  家電製品が超音波歯ブラシなど水に濡れる製品である場合には、少なくとも充電器本体を防水型とすることが好ましい。本考案でいう防水型とは、水密にした完全防水型の外、本体表面を水が流下した場合、充電回路部などに水が入りにくい構造としたものも含まれる。
【考案の効果】
【００１４】  本考案の電源コード付き充電器は、予め取付けられている電源コードが、実際の使用に当たってもっと短くてよかった場合、着脱自在としたコードカバーを外して、充電器本体に設けた巻き取りリールに余分の電源コードを巻き付けできるようにしたので、充電器本体をより小型にしても巻き取り作業が容易になり、しかもコードカバーを装着すると巻き取った電源コードが解けて外部に出てくることを確実に防止できるという効果を奏することができる。
【考案を実施するための最良の形態】
【００１５】  以下、超音波歯ブラシについて実施した場合について、添付の図に基き本稿案の実施の形態を説明する。
図１に示す電源コード付き充電器（以下単に充電器）１は、超音波歯ブラシ（以下単に歯ブラシという）１０用に形成したものである。歯ブラシ１０は立てておくと倒れ易いため、本実施の形態においては、スタンド１１を着脱自在に充電器本体２に取付け（その詳細は図３〜１１によって説明する）ている。なお図１２と同様の部材には同じ符号を付し、重複する説明を省略することにする。【００１６】  先ず充電に関する部分から説明すると、歯ブラシ本体１０−１には、充電式電池１２が内蔵されており、超音波歯ブラシ本体１０−１内に設ける充電用二次コイル３−３は、充電器１の充電回路基板３−１上に取付けた充電用一次コイル３−２に対応して取付け、電磁誘導作用により充電用電圧が発生するようにしている。また前記のとおり本実施の形態の充電方式は電磁誘導作用を利用して行ったが、電極の機械的接触により直接充電する方式とすることもできる。【００１７】  図１において、充電器本体ケース２ー２、底板２−１及び巻き取りリール６は、プラスチック射出成形体であり、底板２−１及び巻き取りリール６は一体成形により一体としたものであるが、必要によりネジ止めなど、他の手段で一体とすることもできる。【００１８】  電源コード４は、図１Ｂに示すように、充電回路基板３−１の所定箇所に取付け、電気回路部３から巻き取り部６を経由し、充電器本体ケース２−２から外部に引き出されるが、使用に当たり、余分となった電源コードは、図１に示すように巻き取りリール６に巻き付け、外部に出ている電源コード４の長さを調節する。なお図１Ｂに示す符号５−１はコードカバー５の据わりを良くするための脚、５−２はコードカバー５から電源コード４を引き出す貫通孔である。【００１９】  ところで本実施の形態は歯ブラシ１０の充電器１によって説明しているので、防水性が求められる。そこで本実施の形態においては、電源コード４を電気回路部３から引き出す部分にゴムなどの弾性体で作ったコードブッシュ１３を取付け、本体ケース２−２と底板２−１とを超音波溶着した。なお。防水処理手段は、使用材料、形状などにより上記説明に限定されず、適宜他の公知手段を適用することができる。【００２０】  電源コード４の出荷時の状態には特に限定はないが、図２に示すようにリール６に巻き取らず、所定の大きさに巻き、解けないように縛った状態とすることができるが、本考案はこれに限定されない。【００２１】  次に図１、３及び４によって、コードカバー５を本体ケース２−２に着脱するための係合部１４及び１５について説明する。
図３において係合部１４は、充電器１の正面側の本体ケース２−２と底板２−１（これも本体ケース２−２の一部を構成している）との接合部に形成されており、図３のＡ部拡大図に示すように、一方（図３では本体ケース２−２側）に設けた係合凹部１４−１に、他方（図３ではコードカバー５側）に設けた係合突起部１４−２に差し込み（図４の拡大図の矢印▲１▼の動作）、次いで矢印▲２▼の方向に回転させて図１に示すようにコードカバー５と本体ケース２−２とを合わせる。【００２２】  すると図３に示すように、係合部１５の一方（図３ではコードカバー５−１側）に設け、容易に弾性的に変形可能に形成したレバー１５−１に設けた係合爪１５−２と、他方（図３では本体ケース２−２側）に設けた係合爪１５−３とが弾性係合する。このようにして、係合部１４および１５によって、本体ケース２−２にコードカバー５を取付けることができる。予め巻き取りリール６に巻き取られた電源コード４は、充電器１が倒れるなどして、巻き取った電源コード４が巻き取りリール６から外れるような力が作用しても、周囲をコードカバー５が囲んでいるため、解け出ることを防止できる。【００２３】  次に、本体ケース２ー２からコードカバー５を取り外すときは、図１Ｂにおいて、レバー１５−１を図の右方向に引いて係合爪１５−３から係合爪１５−２（図１には両係合爪の符号を省略している）を引き離し、本体ケース２−２とコードカバー５とを、図３の矢印▲２▼と逆方向に引き離すことにより、コードカバー５を充電器本体２から外すことができ、リール６の周囲を広く開放させ、電源コード４の巻き取りリール６への巻き取り、巻き戻しを容易に行うことができる。【００２４】  次に図１及び５〜９に示すように、スタンド１１は、射出成形により一体的に作成されたものであって、両側解放端の筒部１１−１の下端側には、筒部１１−１の正面側を除き充電器本体２の頂面に接するコ状の下板１１−２が配置され、筒部１１−１の上端には下板１１−２の正面側端部１１−３から弧状に伸びる上板１１−４が配置されている。【００２５】  そして本実施の形態のスタンド１１は、本体ケース２−２に図６、７及び８に示す矢印▲３▼方向に押し込むことによって取付けることができる。そのため、本実施の形態では、ガイド部１６と係合部１７との二つの手段によって構成した。【００２６】  先ず図６に基づきガイド部１６を説明する。スタンド１１の下板１１−２の側方縁部１６−１が本体ケース２−２の側に設けた横ガイド１６−２によって着脱方向に案内され、また下板１１−２の上面に沿う高さに、横ガイド１６−２から内側に伸びる上ガイド１６−３によって下板１１−２が浮き上がらないように案内するように形成した。【００２７】  次に係合部１７について説明する。スタンド１１を本体ケース２−２に取付ける本体ケース頂面２−３には、図７に示すように本体ケース２−２の正面側を傾斜面１７−１とした係合突起１７−２を設けている（図７Ｂ）。そして図８に示すようにスタンド１１を本体ケース２−２に配置したときに係合突起１７−２（傾斜面１７−１を含む）に対応する下板１１−２の部分に係合孔１７−３（板の厚みによっては凹部であってもよい）を設けた（図８Ｂ）。したがってスタンド１１を本体ケース２−２に取付けるためには、スタンド１１の下板１１−２が一旦傾斜面１７−１に乗り上げた後、係合突起１７−２と係合孔１７−３とを嵌合させて行うものである。更に本実施の形態においては、係合孔１７−３が係合突起１７−２に嵌合すると、それ以上押し込めないように、本体ケース２−２の後部側に、本体ケース頂面２−３から立ち上がるストッパー１７−４を設けるようにした。【００２８】  以上の説明及び図９から理解されるように、スタンド１１の下板１１−２は、横ガイド１６−２と上ガイド１６−３で形成されたガイド部分に差し込んだ後、傾斜面１７−１に案内されて下板１１−２の先端が持ち上げられるため、上ガイド１６−３と干渉し、それ以上押し込めなくなるはずである。そのため本実施の形態においては、少なくとも本体ケーシング２−２及び／又はストッパー１１が復元可能な変形を可能にする材料、例えばＡＢＳ樹脂などのプラスチックを使用するとよい。なお本考案は、前記係合部１６及び１７に限定されず、他の任意の手段によって実施することができる。【００２９】  次に図１０及び１１によって壁掛け型とする手段について説明する。壁１８への取付け部５−４は、レバー１５−３の両側に設けた突出し部分であり、取付け部５−４を壁１８にネジ止めでするネジ穴（木ねじ１９が貫通している部分）を設けることによって行った。コードカバー５を壁１８に取付け後、図３で説明した手順に倣って充電器本体２をコードカバー５に装着することができる。このようにすることにより、特別のブラケットを用意することなく、台又は床置き用と壁掛け用との両方の要求を満足させることができる。【００３０】  本考案は、以上説明した形態によって実施することができるが、本考案のこれに限定されず、本考案から逸脱しない範囲内で各種の形態により実施すること下できることは明らかである。
【図面の簡単な説明】
【００３１】
【図１】本考案を超音波歯ブラシの電源コード付き充電器で実施した（以下充電器と略称する）もので、Ａは充電器の平面図であり、Ｂは一部破断して示した側面図である。
【図２】図１Ｂに示す電源コードの出荷時の纏め方を示す側面図である。
【図３】図１Ｂに示す充電器本体にコードカバーを取付ける様子を示す縦断面図である。
【図４】図３のＡ部拡大図に示す状態の前の状態を示す部分拡大図である。
【図５】図１に示すスタンドを充電器本体に取り付けた状態の平面図である。
【図６】図６Åは図５に示す充電器のスタンドを充電器本体に取付けた状態の一部を破断して示した側面図であり、図６Ｂはスタンドのガイド部の拡大図である。
【図７】図７Ａは充電器本体の平面図であり、図７Ｂは図７Ａに示すＶＩＩ−ＶＩＩ線矢視断面による係合部断図面である。
【図８】図８Ａは図１に示すスタンドの平面図であり、図８Ｂは図８Ａに示すＶＩＩＩＢ−ＶＩＩＩＢ線矢視断面によるガイド部断図面である。
【図９】スタンドを充電器本体に取付けて図１の状態にする様子を、一部断面で示した側面図である。
【図１０】図１に示すコードカバーを壁（図示していない）に取り付けた様子を示す正面図である。
【図１１】図１０に示すＸＩ−ＸＩ線の矢視断面で示した縦断面図である
【図１２】従来の電源コード付き充電器を示し、図１２Åはその平面図であり、図１２Ｂは一部を破断して示した縦断面図である。
【符号の説明】
【００３２】１      充電器（電源コード付き充電器）
２      充電器本体
２−１  底板
２−２  充電器本体ケース
２−３  本体ケース頂面
３      電気回路部
３−１  充電回路基板
３−２  充電用一次コイル
３−３  充電用二次コイル
４      電源コード
５      コードカバー
５−１  脚
５−２  貫通孔
５−３  取付け部
６      巻き取りリール
６−１  巻き取り軸
６−２  リール枠
７      端部
８      差込みプラグ
９      皿状凹部
１０    超音波歯ブラシ（以下単に歯ブラシという）
１０−１  歯ブラシ本体
１１      スタンド
１１−１  筒部
１１−２  下板
１１−３  正面側端部
１１−４  上板
１２      充電式電池
１３      コードブッシュ
１４      係合部
１４−１  係合凹部
１４−２  係合突起部
１５      係合部
１５−１  レバー
１５−２  係合爪
１５−３  係合爪
１６      ガイド部
１６−１  側方縁部
１６−２  横ガイド
１６−３  上ガイド
１７      係合部
１７−１  傾斜面
１７−２  係合突起
１７−３  係合孔
１７−４  ストッパー
１８      壁
１９      木ねじ
【図１】
0003125800.tif 000003
【図２】
0003125800.tif 000004
【図３】
0003125800.tif 000005
【図４】
0003125800.tif 000006
【図５】
0003125800.tif 000007
【図６】
0003125800.tif 000008
【図７】
0003125800.tif 000009
【図８】
0003125800.tif 000010
【図９】
0003125800.tif 000011
【図１０】
0003125800.tif 000012
【図１１】
0003125800.tif 000013
【図１２】
0003125800.tif 000014